(57)【要約】      （修正有）【課題】デジタルシネマシステムにおけるプレイリスト作成方法を提供する。【解決手段】デジタルシネマシステムにおけるプレイリストを作成に関し、少なくとも１つのイメージプログラム２０８と少なくとも１つのオーディオプログラム２１２が表示される。各イメージプログラム２０８はイメージ情報を表す符号化されたデータを含み、各オーディオプログラム２１２はオーディオ情報を表す符号化されたデータを含んでいる。特定されたイメージプログラム２０８とオーディオプログラム２１２に応答して、選択されたイメージプログラム２０８と選択されたオーディオプログラム２１２の適合度が確認される。【選択図】図２
2010063141.tif 000002
【特許請求の範囲】
【請求項１】
デジタルシネマシステムによってプレイリストを作成する方法であって、
少なくとも１つのイメージプログラムタイトルと少なくとも１つの対応するオーディオプログラムとを表示するステップであって、該イメージプログラムタイトルの各々は、イメージ情報を表す符号化されたデータを含み、該オーディオプログラムの各々は、オーディオ情報を表す符号化されたデータを含む、前記表示するステップと、
イメージプログラムタイトルおよびオーディオプログラムのユーザによる選択に応答して、選択されたイメージプログラムタイトルと選択されたオーディオプログラムの適合性を検証するための自動化された適合性処理を実行するステップであって、適合性が存在しない場合に前記選択されたイメージプログラムタイトルおよび前記選択された対応するオーディオプログラムからプレイリストが実際に作成されるのを阻止する、前記ステップと、
を含む、前記方法。
【請求項２】
前記選択されたオーディオプログラムを、前記選択されたイメージプログラムタイトルに関連付けて、選択されたプログラムを形成するステップをさらに含む、請求項１記載の方法。
【請求項３】
選択されたプログラムを、ユーザにより指定された上映順に順序付けるステップをさらに含む、請求項２記載の方法。
【請求項４】
キュー、埋め込まれたキュー、ブラックスクリーンからなるグループからの少なくとも１つの挿入物を特定するステップと、
前記選択されたプログラムと前記特定された挿入物を、ユーザにより指定された上映順に順序付けるステップをさらに含む、請求項２記載の方法。
【請求項５】
前記オーディオプログラムの選択は、オーディオプログラムのサブセットに限定され、オーディオプログラムの各サブセットは、選択された各イメージプログラムタイトルに対応している、請求項１記載の方法。
【請求項６】
各イメージプログラムタイトルは、関連するインジケータを有し、
前記適合性を検証するための自動化された適合性処理を実行するステップは、格付けインジケータ、縦横比インジケータ、走査インジケータ、および彩度サンプリングインジケータからなるグループから選択される少なくとも１つであるインジケータを比較するステップと、
不適合の警告指示を表示するステップをさらに含んでいる、請求項２記載の方法。
【請求項７】
各オーディオプログラムは、関連するインジケータを有し、
前記適合性を検証するための自動化された適合性処理を実行するステップは、言語インジケータ、オーディオフォーマットインジケータ、および格付けインジケータからなるグループからの選択される少なくとも１つであるインジケータを比較するステップと、
不適合の警告表示を表示するステップを、さらに含んでいる、請求項２記載の方法。
【請求項８】
各イメージプログラムは、プロジェクタレンズインジケータを有し、
前記適合性を検証するための自動化された適合性処理を実行するステップは、さらに、
各イメージプログラムタイトルのプロジェクタレンズインジケータを比較するステップと、
プロジェクタの不適合の警告指示を表示するステップを、含む、請求項２記載の方法。
【請求項９】
デジタルシネマシステムにおいて、プレイリストを作成するように構成された装置であって、
イメージ情報を表す符号化されたデータをそれぞれ含んでいる少なくとも１つのイメージプログラムタイトルのリストを表示する手段と、
イメージプログラムタイトルのユーザによる選択に応答して、オーディオ情報を表す符号化されたデータをそれぞれ含む少なくとも１つの対応するオーディオプログラムのリストを表示する手段と、
選択されたオーディオプログラムの選択に応答して、選択されたイメージプログラムタイトルと選択されたオーディオプログラムの適合性を検証するための自動化された適合性処理を実行する手段であって、適合性が存在しない場合に前記選択されたイメージプログラムタイトルおよび前記選択された対応するオーディオプログラムからプレイリストが実際に作成されるのを阻止する、前記手段と、
を具備している、前記装置。
【請求項１０】
前記選択されたオーディオプログラムを、選択されたイメージプログラムタイトルに関連付けて、選択されたプログラムを形成する手段をさらに具備している、請求項９記載の装置。
【請求項１１】
選択されたプログラムを、ユーザにより指定された上映順に順序付ける手段をさらに具備している、請求項１０記載の装置。
【請求項１２】
キュー、埋め込まれたキュー、ブラックスクリーンからなるグループからの少なくとも１つの挿入物を特定する手段と、
前記選択されたプログラムと前記挿入物を、ユーザにより指定された上映順に順序付ける手段とをさらに具備している、請求項１０記載の装置。
【請求項１３】
各イメージプログラムタイトルは、関連するインジケータを有し、
前記適合性を検証するための自動化された適合性処理を実行する手段は、
各イメージプログラムタイトルのためのインジケータを比較する手段であって、該インジケータが、格付けインジケータ、縦横比インジケータ、走査インジケータ、および彩度サンプリングインジケータからなるグループから選択される少なくとも１つである、前記比較する手段と、
不適合の警告指示を表示する手段と、
をさらに具備している、請求項１０記載の装置。
【請求項１４】
各オーディオプログラムは、関連するインジケータを有し、
前記適合性を検証するための自動化された適合性処理を実行する手段は、
各オーディオプログラムのためのインジケータを比較する手段であって、該インジケータが、言語インジケータ、オーディオフォーマットインジケータ、および格付けインジケータからなるグループから選択される少なくとも１つである、前記比較する手段と、
不適合の警告指示を表示する手段と、
をさらに具備している、請求項１０記載の装置。
【請求項１５】
各イメージプログラムタイトルは、プロジェクタレンズインジケータを有し、
前記適合性を検証するための自動化された適合性処理を実行する手段は、
各イメージプログラムタイトルのプロジェクタレンズインジケータを比較する手段と、
プロジェクタの不適合の警告指示を表示する手段をさらに具備している、請求項１０記載の装置。
【請求項１６】
同じイメージプログラムタイトルまたは同じオーディオプログラムが一度よりも多く選択される場合には、警告を表示する手段をさらに具備している、請求項１０記載の装置。
【請求項１７】
前記順序付け手段は、前記イメージプログラムタイトルに対応するエントリを、他の表示されたイメージプログラムタイトルに対して異なる位置へ移動する手段をさらに具備している、請求項１１記載の装置。
【請求項１８】
前記選択されたプログラムを、特定の時間に上映されるようにスケジュールする手段をさらに具備している、請求項１０記載の装置。
【請求項１９】
前記選択されたプログラムを、特定の劇場建物で上映されるようにスケジュールする手段をさらに具備している、請求項１０記載の装置。
【請求項２０】
デジタルシネマシステムにおける、劇場管理装置であって、
選択された表示されたイメージプログラムタイトル、およびそのイメージプログラムタイトルに対応する選択された表示されたオーディオプログラムに基づいてイメージおよびオーディオプログラムからなるプレイリストを作成するように構成されているプレイリスト作成装置と、
電気的に前記プレイリスト作成装置へ接続され、イメージおよびオーディオプログラムの適合度性を検証するように構成されている自動化された適合度チェッカであって、適合性が存在しない場合に前記選択されたイメージプログラムタイトルおよび前記選択された対応するオーディオプログラムからプレイリストが実際に作成されるのを阻止する、前記適合度チェッカと、
を具備している、前記劇場管理装置。
【請求項２１】
前記プレイリストは、キューをさらに有している、請求項２０記載の劇場管理装置。
【請求項２２】
前記プレイリストは、埋め込まれたキューをさらに有している、請求項２１記載の劇場管理装置。
【請求項２３】
前記プレイリストは、ブラックスクリーンをさらに有している、請求項２０記載の劇場管理装置。
【請求項２４】
電気的に前記プレイリスト作成装置に接続され、特定の時間に特定の場所で上映するために検証されたプレイリストをスケジュールするように構成されているスケジューラをさらに具備している、請求項２０記載の劇場管理装置。
【請求項２５】
前記プレイリスト作成装置は、シーケンサをさらに具備し、前記シーケンサは所定の上映順に選択されたプログラムを順序付けるように構成されている、請求項２０記載の劇場管理装置。
【請求項２６】
各イメージプログラムタイトルは、関連するインジケータを有し、
前記適合度チェッカは、
各イメージプログラムタイトルのためのインジケータを比較するように構成されている照合装置であって、該インジケータが、格付けインジケータ、縦横比インジケータ、走査インジケータ、および彩度サンプリングインジケータからなるグループから選択される少なくとも１つである、前記照合装置をさらに具備している、請求項２０記載の劇場管理装置。
【請求項２７】
各オーディオプログラムは、関連するインジケータを有し、
前記適合度チェッカは、
各オーディオプログラムのためのインジケータを比較するように構成されている照合装置であって、該インジケータが、言語インジケータ、オーディオフォーマットインジケータ、および格付けインジケータからなるグループから選択される少なくとも１つである、前記照合装置をさらに具備している、請求項２０記載の劇場管理装置。
【請求項２８】
各イメージプログラムタイトルは、プロジェクタレンズインジケータを有し、
前記適合度チェッカは、
各イメージプログラムタイトルのプロジェクタレンズインジケータを比較するように構成された照合装置をさらに具備している、請求項２０記載の劇場管理装置。
【発明の詳細な説明】
【技術分野】
【０００１】
本発明はデジタルシネマ、特にデジタルシネマシステムでプレイリストを作成する装置および方法に関する。
【背景技術】
【０００２】
伝統的な映画産業では、劇場のオペレータはスタジオからまたは分配業者を通じて劇場の劇場建物でイベントの上映のためのセルロイドフィルムのリールを受取る。フィルムのリールは主要プログラム（省略なしの動画）と、しばしば予告編と呼ばれる複数の予告および他の広告を含んでいる。劇場のオペレータはまた時にはローカルな宣伝および広告物を含んでいる幾つかのその固有の予告編を上映することを必要とされ、或いはその選択を行う。
【０００３】
上映では、劇場のオペレータは“レコード”またはプレイリストを作成する。これは上映される順序にセルロイドフィルムのリールを順序付け、プロジェクタにより再生されるように物理的にフィルムを共につなげることを含んでいる。予告編と予告編の間または予告編と作品との間に、“ブラックスクリーン”を表示することが所望されるときもある。ブラックスクリーンは数秒のブランク（空白の）フィルムであり、異なる予告編または作品との間の移行（遷移）または幾分の劇的な効果のようなものを与える。ブラックスクリーンを作成するために、劇場のオペレータは予告編が共につながれる方法と同様の方法でブラックフィルムを所望の領域へ物理的につなぎ合わせる。
【０００４】
劇場のオペレータはまた物理的にトリガーストリップをフィルムへ取付けることによりキューまたはマイルストーンをセルロイドフィルムへ挿入する。キューはプログラミング間または特定の作品または予告編内に取付けられてもよい。現在、劇場のオペレータは劇場の自動システムの使用により劇場建物の環境を制御している。劇場の自動システムは照明のオンとオフの切換え、カーテンの開閉、プロジェクタのレンズの変更等の機能を制御する。劇場の自動システムはフィルムが劇場の自動システムに接続された読取装置を通過するときにフィルムに物理的に置かれたトリガーストリップを読取ることによってこれらの機能を制御する。トリガーストリップは典型的にフィルムに接着されたテープの金属または光学的ピースである。テープが読取装置の下を通過するとき、電気信号が劇場の自動システムに出力される。利用可能な劇場の自動システムが多数存在し、劇場の自動システムが動作する統一された方法はない。即ちトリガーストリップがフィルム上のフレームに関して置かれる場合、異なる劇場の自動システムを異なって動作させる。例えばトリガーストリップはインボードキューと呼ばれるフィルムの左端部と、中央キューと呼ばれるフィルムの中央と、アウトボードキューと呼ばれるフィルムの右端部に置かれてもよい。他の劇場の自動システムはトリガーストリップがフィルムのフレームに関して位置される場所にかかわりなく単一のトリガーストリップだけを変換し、またはストリップが位置されなければならない位置（インボード、中央またはアウトボード）を命令し、読取られる。さらに、他の劇場の自動システムはトリガーストリップの組合わせまたはシーケンスへ意味を取付ける。
【０００５】
劇場のオペレータはスタジオが時に命令する場合にプログラムの上映中にキューを挿入しようとするならば、オペレータはキューが挿入されるべき場所を決定するためフィルムのリール上のフレームを物理的に観察しなければならない。その代わりに、オペレータは“ｘ”数のフィートのフィルムが上映中の約“ｙ”秒に等しいことを知ることによって、トリガーストリップが位置されるべき場所を評価する。例えば“ライトオン”キューはクレジットの開始後１０秒に挿入されることができる。劇場のオペレータはその後、何フィートのフィルムが１０秒の遅延に変換されるかを評価することによって金属または光学的なストリップをフィルム上の適切な場所に物理的に取付ける。
【０００６】
それぞれ関連するランクを有する予告編および作品は所定の観客に対する題材の適切さを規定する。米国では、ランクは米国動画組合（ＭＰＡＡ）により動画と予告編にラベルを付けられる。しかしながら、異なる管轄は異なるランクシステムを有し、全ての管轄が所定のプログラムのランクレベルに関して一貫しているわけではない。したがって所定の管轄の劇場のオペレータは共に表示する計画のあるプログラムのタイプを知っておく必要がある。
【０００７】
さらに、特別なディスプレイの縦横比を使用して予告編と作品は映画フィルムが作成される。ディスプレイの縦横比はイメージがどのように映画フィルムにされ、スタジオがイメージをどのように表示させるかを示している。典型的に、イメージはスコープレンズまたは平面レンズを使用してプロジェクタで表示される。シネマスコープは２：３５：１の比を有し、平面レンズは１：８５：１の比を有する。この比率はイメージがスクリーンに投影されるサイズからの水平面対垂直面の比を示している。さらに、種々のプロジェクタは走査または彩度のサンプリングタイプに感度がある。
【０００８】
作品と予告編を有するフィルムのリールと共に、劇場のオペレータは各フィルムで再生される１以上のサウンドトラックを受取る。サウンドトラックは種々の言語および音響フォーマットで与えられる。ステレオ７．１または５．１等の音響フォーマットは音響フォーマットが必要とするチャンネル数を指している。音響システムは劇場、スタジオにより非常に異なるので、スタジオまたは分配業者は典型的に所定のフィルムの多数のサウンドトラックを発送する。
【０００９】
劇場のオペレータがレコードまたはプレイリストを作成しているとき、オペレータはプレイリストが正確に作成されていることを確実にするように注意しなければならない。例えば各イメージプログラムは言語と音響フォーマットに関してロードされた適切なサウンドトラックをもたなければならない。さらに、レコードのイメージプログラムは適切なランクをもたなければならない。即ち、“Ｒ”ランクの予告編は“Ｇ”ランクの映画で表示されないことを確認することが望まれる。さらに、適切な場所にキューが挿入されなければならず、正確なレンズは適切なディスプレイ縦横比で観察するためにプロジェクタに取付けられる必要がある。しかしながら人間のエラーは避けられず、非常に頻繁である。
【００１０】
さらに、セルロイドフィルムからデジタルイメージおよびオーディオプログラムへ移行するように、映画産業は発展中である。劇場には“デジタルプラッタ”を作成するためデジタルプログラミングを処理する設備が設けられていない。
【発明の概要】
【発明が解決しようとする課題】
【００１１】
デジタルシネマシステムの登場により、全長の動画、予告編、広告、他のオーディオ／イメージの“シネマ−品質”プログラムがデジタル技術を使用して世界中の劇場に配送される。デジタルシネマシステムは（ＤＶＤ−ＲＯＭ等の）物理的媒体の分配または衛星等の電子送信方法を使用してデジタル化され、圧縮され、暗号化されている動画を劇場へ配送する。
【００１２】
権限を有する劇場は典型的には暗号化され圧縮された状態のままでデジタル化されたプログラムを自動的に受信し、それらを記憶する。各ショーでは、デジタル化された情報は記憶媒体からの構内通信網により検索され、その後解読され、圧縮解除され、高品質のデジタル音響を特徴とするシネマ品質の電子プロジェクタを使用して表示される。
【課題を解決するための手段】
【００１３】
したがって、デジタルシネマシステムでプレイリストまたはデジタルプラッタを作成する装置および方法が開示されている。特に、プレイリストを作成する方法は少なくとも１つのイメージプログラムタイトルと少なくとも１つのオーディオプログラムの表示を含んでいる。イメージプログラムタイトルの各々はイメージ情報を表す符号化されたデータを含み、オーディオプログラムの各々はオーディオ情報を表す符号化されたデータを具備している。イメージプログラムとオーディオプログラムのユーザによる選択に応答して、選択されたイメージプログラムと選択されたオーディオプログラムの適合性が検証される。一実施形態では、方法は特定されたオーディオプログラムを特定されたイメージプログラムタイトルへ関連付けて選択されたプログラムを形成し、選択されたプログラムをユーザの指定した上映順に順序付けることを含んでいる。
【００１４】
別の実施形態では、キュー（ｃｕｅ）、埋設された（ｅｍｂｅｄｅｄ：埋め込まれた、組み込まれた）キュー、ブラックスクリーン等の挿入物はプレイリストに挿入され、順序を付けられる。さらに別の一実施形態では、オーディオプログラムの選択はオーディオプログラムのサブセットに限定され、ここではオーディオプログラムの各サブセットは選択された各イメージプログラムに基づいている。
【００１５】
各イメージプログラムと各オーディオプログラムは格付けインジケータ、縦横比インジケータ、走査インジケータ、彩度サンプリングインジケータ、言語インジケータ、オーディオフォーマットインジケータおよび格付けインジケータ、プロジェクタレンズインジケータのような関連するインジケータを有してもよい。不整合の状態が生じたならば、不適合の警告指示が表示される。
【００１６】
一実施形態の装置では、プレイリスト作成装置はイメージプログラムタイトルおよびオーディオプログラムからなるプレイリストを作成するように構成されている。別の実施形態では、キューおよびブラックスクリーンもプレイリストに存在する。各イメージおよびオーディオプログラムはインジケータを含んでいてもよい。適合性チェッカは電気的にプレイリスト作成装置へ接続され、イメージプログラムタイトルおよびオーディオプログラムからの指示を比較することによりイメージプログラムタイトルおよびオーディオプログラムの適合度を検証するように構成される。インジケータは格付けインジケータ、縦横比インジケータ、走査インジケータ、彩度サンプリングインジケータ、言語インジケータ、およびオーディオフォーマットインジケータを含んでいる。照合のとき、選択されたプログラムが作成される。一実施形態ではプレイリスト作成装置はさらに選択されたプログラム、キュー、ブラックスクリーンをユーザの指定した上映順に順序付けるように構成されたシーケンサをさらに具備してもよい。さらに別の実施形態ではスケジューラはプレイリスト作成装置に電気的に接続され、特定の時間と場所で上映するための照合されたプレイリストをスケジュールするように構成されている。
【００１７】
したがって、本発明の実施形態の特徴は異なるイメージプログラム間の格付け不整合を防止することである。
【００１８】
一実施形態の別の特徴はイメージプログラム間の縦横比の不整合を防止することである。
【００１９】
一実施形態の別の特徴は選択されたオーディオプログラム間の言語の不整合を防止することである。
【００２０】
一実施形態の別の特徴はプロジェクタの不整合を防止することである。
【００２１】
一実施形態の別の特徴はオーディオプログラム間の不整合を防止することである。
【００２２】
一実施形態の別の特徴はキューおよびオフセットキューの便利で正確な入力を可能にし、事象ベースでキューを参照できることである。
【００２３】
一実施形態の別の特徴はユーザが容易にプログラムの題材を順序付けすることを可能にすることである。
【００２４】
一実施形態の別の特徴はオーディオプログラムの選択を選択されたイメージプログラムの選択に限定することである。
【００２５】
一実施形態の別の特徴は既存の劇場の自動システムとインターフェースをすることである。
【図面の簡単な説明】
【００２６】
【図１】デジタルシネマシステムのブロック図。
【図２】劇場管理装置とその関連するインターフェースのブロック図。
【図３】プレイリストを作成するプロセスのフローチャート。
【図４】イメージプログラムのリストを示しているウィンドウの図。
【図５】選択されたプログラムの詳細を示しているウィンドウの図。
【図６】選択されたプログラムの付加的な特徴を示している図３の続きのフローチャート。
【図７】選択されたイメージプログラムの有効なオーディオプログラムを示しているウィンドウの図。
【図８】キューの選択または作成を示しているウィンドウの図。
【図９】オフセットキューの選択または作成を示しているウィンドウの図。
【図１０】ブラックスクリーンを示しているウィンドウの図。
【図１１】ランク不整合による不適合度の警告指示を示しているウィンドウの図。
【図１２】作成されたプレイリストを示しているウィンドウの図。
【発明を実施するための形態】
【００２７】
本発明の特徴、目的、利点は図面を伴った以下の詳細な説明からより明白になるであろう。同じ参照符号は全体を通じて対応して識別される。
デジタルシネマシステム１００が図１に示されている。デジタルシネマシステム１００は２つの主要なシステム、即ち少なくとも１つの中央装置またはハブ１０２と少なくとも１つの上映または劇場サブシステム１０４を具備している。ハブ１０２と劇場サブシステム１０４は、１９９８年５月８日出願の米国特許出願第０９／０７５，１５２号明細書（発明の名称“Ａｐｐａｒａｔｕｓ  ａｎｄ  Ｍｅｔｈｏｄ  ｆｏｒ  Ｄｉｓｔｒｉｂｕｔｉｏｎ  ｏｆ  Ｈｉｇｈ  Ｑｕａｌｉｔｙ  Ｉｍａｇｅ  ａｎｄ  Ａｕｄｉｏ  Ｐｒｏｇｒａｍｓ  ｔｏ  Ｒｅｍｏｔｅ  Ｌｏｃａｔｉｏｎｓ”）と、２０００年５月３日出願の米国特許出願第０９／５６４，１７４号明細書（発明の名称“Ａｐｐａｒａｔｕｓ  ａｎｄ  Ｍｅｔｈｏｄ  ｆｏｒ  Ｅｎｃｏｄｉｎｇ  ａｎｄ  Ｓｔｏｒａｇｅ  ｏｆ  Ｄｉｇｉｔａｌ  Ｉｍａｇｅ  ａｎｄ  Ａｕｄｉｏ  Ｓｉｇｎａｌｓ”）と、２０００年５月３日出願の米国特許出願第０９／５６３，８８０号明細書（発明の名称“Ａｐｐａｒａｔｕｓ  ａｎｄ  Ｍｅｔｈｏｄ  ｆｏｒ  Ｄｅｃｏｄｉｎｇ  Ｄｉｇｉｔａｌ  Ｉｍａｇｅ  ａｎｄ  Ａｕｄｉｏ  Ｓｉｇｎａｌｓ  ”）の設計と類似の設計であり、これらの特許出願は全て本発明と同一の出願人に譲渡され、ここで参考文献とされている。
【００２８】
一実施形態では、イメージおよびオーディオ情報は圧縮されて記憶媒体に記憶され、ハブ１０２から劇場サブシステム１０４へ分配される。通常、１つの劇場サブシステム１０４はイメージまたはオーディオ情報を受ける上映位置のネットワークの各劇場または上映位置で利用され、幾つかの中央装置と、各上映の劇場建物で使用されるある装置を含んでいる。
【００２９】
中央ハブ１０２では、ソース発生器１０８はフィルム材料を受取り、フィルムのデジタルバージョンを発生する。そのデジタル情報はコンプレッサ／暗号化装置（ＣＥ）１１２により圧縮され、暗号化され、ハブ記憶装置１１６により記憶媒体に記憶される。ネットワーク管理装置１２０は制御情報を監視し、ソース発生器１０８、ＣＥ１１２、ハブ記憶装置１１６へ送信する。条件アクセス管理装置１２４は特別な電子キーイング情報を与え、特定の劇場だけが特定のプログラムを見せるように権限を与えられる。
【００３０】
劇場サブシステム１０４では、劇場管理装置１２８は１または多数の劇場建物サブシステム１３２を制御する。劇場管理装置１２８はプレイリストのローディングと作成、イメージおよびオーディオ情報の上映の制御および監視を制御する。劇場管理装置はまた与えられたイメージおよびオーディオプログラムの経歴を維持する。一実施形態では、各劇場管理装置は所定の劇場建物の数に基づいて多数の劇場管理装置からなる。このような場合、各劇場管理装置はプレイリストのローディングと作成、上映の制御および監視、それぞれの劇場建物の経歴の維持を制御する。各劇場建物管理装置はまた環境機能の制御のために既存の劇場自動システム（ＴＡＳ）１５６とインターフェースする。
【００３１】
劇場管理装置１２８から受信された制御情報に基づいて、劇場記憶装置１３６は記憶媒体に記憶されている圧縮された情報を再生モジュール１４０へ転送する。再生モジュール１４０は劇場記憶装置１３６から圧縮された情報を受取り、圧縮された情報を予め定められたシーケンス、サイズ、データレートへ処理する。再生モジュール１４０は圧縮された情報をデコーダ１４４へ出力する。デコーダ１４４は再生モジュール１４０から圧縮された情報を入力し、暗号解読、圧縮解除、フォーマットを行い、イメージおよびオーディオ情報をプロジェクタ１４８と音響モジュール１５２へ出力する。プロジェクタ１４８はイメージ情報を再生し、音響モジュール１５２は音響情報を音響システムで再生し、この両者は劇場管理装置１２８の制御下である。
【００３２】
図２は劇場または劇場建物管理装置２０４とそのインターフェースのブロック図２００を示している。劇場建物管理装置２０４はイメージプログラム２０８とオーディオプログラム２１２のリストまたはデータベースを具備している。劇場建物管理装置はキュー２１６とブラックスクリーン２２０のユーザの規定可能なリストも具備している。プレイリスト作成装置２２４はユーザがプレイリストを作成することを可能にするように構成されている。プレイリスト作成装置２２４は不整合を防止するため適合度チェッカ２２８とインターフェースするように構成されている。適切な適合性のとき、最終的なプレイリスト２３２が作成される。最終的なプレイリストはスケジューラ２３６とインターフェースするように構成されており、スケジューラ２３６は指定された時間に指定された劇場建物で上映するように最終的なプレイリスト２３２をスケジュールするように構成されている。劇場建物のサブシステム２４０による再生のとき、劇場建物管理装置２０４は環境制御に必要なとき既存の劇場自動システム２４４とインターフェースする。
【００３３】
図３は劇場管理装置または劇場建物管理装置がプレイリスト３００を作成するプロセスのフローチャートを示している。動作において、イメージプログラムのリストはユーザへ表示される（ステップ３０４）。図４に関してさらに詳細に説明されている一実施形態では、別々の“プログラムの選択”ウィンドウが示されている。ステップ３０４でイメージプログラムのリストは動画等の作品プログラム、典型的にクレジット、予告または他の広告または宣伝用情報である予告編プログラムを備えている。スライド、ブラックスクリーンおよび他のイメージプログラムもリストされてもよい。
【００３４】
ステップ３０８でユーザがプレイリストへのイメージプログラムを一度選択すると、利用可能なオーディオプログラムまたはサウンドトラックのリストがステップ３１２で示される。図７に関してさらに詳細に説明されている一実施形態では、別々の“音響セットの選択”ウィンドウが示されている。ステップ３１２で示されている利用可能なオーディオプログラムのリストはステップ３０８で選択されたイメージプログラムと適合可能であるものに限定される。ユーザはその後ステップ３１６で、選択されたイメージプログラムに関連されるオーディオプログラムを選択する。ただ１つのオーディオプログラムが選択されたイメージプログラムで利用可能であるならば、そのオーディオプログラムは自動的に選択される。ステップ３１６の選択されたオーディオプログラムはその後、ステップ３２０においてステップ３０８で選択されたイメージプログラムと関連付けされる。ユーザはその後、ステップ３０４の付加的なイメージプログラムおよびステップ３１２の関連するオーディオプログラムを選択し、プレイリストを作成する。
【００３５】
ユーザはまたステップ３２４でリストを提供される。図８に関してさらに詳細に説明されている一実施形態では、別々の“キュー（ｃｕｅ）のプロパティ”ウィンドウが示されている。ステップ３２８でキューが選択されるとき、プレイリストは劇場建物の環境を制御するために既存の劇場自動システムへ信号を送信するための実行可能なコマンドを予め定められた時間で保存する。制御されるアスペクトには劇場の照明のオンまたはオフ切換え、カーテンの開閉、またはマスキングの調節が含まれている。マスキングはスクリーンのフレームを定めるスクリーンの各側面上の短いカーテンのことであり、それによって投影されるイメージは適格にマスキング内のスクリーンに適合する。キューはまたプロジェクタのタイプまたはプロジェクタレンズを指す。現在、プロジェクタは平面レンズからスコープレンズへ変化されることのできる多数のレンズを有する。キューはまた使用されるオーディオシステムのタイプを制御する。別の実施形態では、発生されるキューは多数のタイプの劇場の劇場建物システムを制御する。
【００３６】
ユーザはまたステップ３３２でブラックスクリーンを挿入しようとする。挿入する場合には、ユーザはブラックスクリーンアイコンを挿入し、ブラックスクリーン挿入ウィンドウが示される。詳細は図１０に関してここで説明する。ユーザはその後、ステップ３３６で表示されるブラックスクリーンについての時間の長さを選択する。
【００３７】
ユーザは任意の時間にプラッタまたはプレイリストを３４０へ保存することを選択することができる。これは適合度チェックプロセス３４４を開始する。図１１に関してさらに詳細に説明されている一実施形態では、不適合ウィンドウの警告指示が示されている。警告は格付け、縦横比、言語、オーディオフォーマット、走査、プロジェクタレンズ、彩度サンプリング等のインジケータが不整合であるときに発生される。適合度チェックプロセスが適切に完了したときに、プレイリストが作成され、プロセスはステップ３４８で終了する。作成されたプレイリストまたはデジタルプラッタはその後、後に観察するためにスケジュールされる。
【００３８】
代わりの実施形態では、ユーザにはイメージおよびオーディオプログラムの単一リストが示される。ユーザはその後、イメージおよびオーディオプログラムの任意の組合わせをプレイリストへ選択する。さらに別の実施形態では、ユーザは“プログラムの選択”、“音響セットの選択”、“キューの選択”、“オフセットの選択キュー”、“ブラックスクリーンの選択”ウィンドウをアイコンの選択によって開始する。ユーザはキーボード、マウス、タッチスクリーンまたは音声コマンドのような任意の標準的なユーザ入力装置を使用してアイコンを選択する。
【００３９】
さらに別の実施形態では、適合度チェックプロセス３４４は適合性が生じる任意の点で発生する。例えば、多数のイメージおよびオーディオプログラムの選択のとき、言語、音響フォーマット、キューまたはプロジェクタの要求に関する適合度が実行される。
【００４０】
別の実施形態では、プレイリスト作成装置は少なくとも１つのイメージプログラムと少なくとも１つのオーディオプログラムを表示するためにコンピュータシステムを制御する命令を含んでいるコンピュータの読取り可能な媒体であり、各イメージおよびオーディオプログラムはイメージ情報を表す符号化データを含んでいる。コンピュータ読取り可能な媒体は選択されたイメージプログラムと選択されたオーディオプログラムの適合度を保証する。
【００４１】
別の実施形態では、プレイリスト作成装置はプレイリストを作成するためにそこで実施されるコンピュータの読取り可能なコードを有するコンピュータの使用可能な媒体を具備しているコンピュータプログラムプロダクトである。コンピュータの使用可能な媒体は少なくとも１つのイメージプログラムと少なくとも１つのオーディオプログラムを表示する手段を具備しており、各イメージおよびオーディオプログラムはイメージ情報を表す符号化されたデータを含んでいる。コンピュータプログラムプロダクトはまた選択されたイメージプログラムと選択されたオーディオプログラムの適合度を確認する手段も含んでいる。
【００４２】
別の実施形態では、プレイリスト作成装置はプロセスがプロセッサにより実行されることによりアクセスされるデータを記憶するメモリである。このメモリはデジタル化されたイメージおよびオーディオプログラムのプレイリストを作成するための情報を維持する構造を具備している。メモリはまたイメージプログラムとオーディオプログラムの適合度を示すインジケータも具備している。
【００４３】
図４はイメージプログラム４００のリストを表示するウィンドウを示している。一実施形態では、プログラムのリストは名称フィールド４０４、継続時間フィールド４０８、格付けフィールド４１２を具備している。当業者は縦横比または作品、予告編または広告等のイメージプログラム等のタイプの指示のようなプログラム属性に関する付加的なフィールドもリストされてもよいことを認識するであろう。ディスプレイはプログラムが選択されているか否かを示すインジケータフィールド４１６も有する。名称フィールド４０４はイメージプログラムの名称、随意的に記述参照を与える。継続時間フィールド４０８はイメージプログラムが正常の動作速度で示されるために必要な時間の長さを示している。オーディオプログラムが存在する必要なくまたはイメージプログラムと共に再生される必要のないことに注意されるべきである。
【００４４】
格付けフィールド４１６はプログラムの格付けを示している。格付け４１２は所定の観客に対する題材の適切さを規定している。米国では、格付けは米国映画組合（ＭＰＡＡ）により映画と予告編にラベルを付けられる。しかしながら、異なる管轄は異なる格付けシステムを有する。したがって格付けフィールド４１２は所定の管轄の格付け規格が与えられるならば変更されてもよい。
【００４５】
イメージプログラム４００のウィンドウは付加ボタン４２０と詳細ボタン４２４を具備してもよい。ユーザが付加ボタン４２０を選択したならば、選択されたプログラムが選択され、プレイリストへ付加される。別々のプレイリストウィンドウはプログラムを選択したときに作成される。詳細ボタン４２４の選択はプログラム詳細ウィンドウを開始し、プログラム詳細ウィンドウは選択されたイメージプログラムについての付加的なおよびさらに特別な情報を与える。プログラム詳細ウィンドウは図５と６に関してさらに詳細に説明されている。閉ボタン４２８は選択プログラムスクリーン４００を閉じる。またヘルプボタン４３２はさらにユーザの選択プロセスを補助するために設けられることができる。
【００４６】
ユーザが詳細ボタン４２４を選択するならば、プログラムの詳細ウィンドウ５００が開始され、図５および６に示されている。プログラムの詳細ウィンドウ５００は任意の与えられたイメージプログラムをさらに説明する複数のフィールドを有する。典型的に、詳細ウィンドウの種々のフィールドの設定はメディア記述子ファイルまたはメタデータファイルから発生する。フィールドは継続時間フィールド５０４、格付けフィールド５０８、特性フィールド５１２、監査フィールド５１６、メディア識別フィールド５２０、記述フィールド５２４、メディアサイズフィールド５２８、著作権フィールド５３２、作成フィールド５３６を含んでもよい。監査フィールド５１６は所定の時間と劇場建物で再生されるプログラムの経歴を維持するプログラムを指している。一実施形態では、フィールドはユーザがこの機能を付勢または消勢するように構成可能である。メディア識別フィールド５２０またはプログラム分配識別子は所定のイメージまたはオーディオプログラムの特有の識別子を指している。メディアサイズフィールド５２８は選択されたプログラムのバイトによるサイズを指している。著作権フィールド５３２は選択されたプログラムの著作権の所有者を示している。作成フィールド５３６はデジタル化プログラムが作成された時間と場所を示す。
【００４７】
プログラムの詳細スクリーンは付加的なイメージ情報、格付け情報、マイルストーン情報も含んでいる。付加的なフィールドは画素幅フィールド５４０、画素高フィールド５４４、画素縦横比フィールド５４８、走査フィールド５５２、彩度サンプリングフィールド５５６、カラースペースフィールド６０４（図６に示されている）を含んでいる。画素幅フィールド５４０はイメージプログラムの水平方向に沿った画素数を指している。画素高フィールド５４４はイメージプログラムの垂直方向に沿った画素数を指している。画素縦横比フィールド５４８は画素幅と画素高の比を指している。
【００４８】
走査フィールド５５２はイメージプログラムの作成に使用され、それ故復号に必要な走査タイプ等のインジケータを示している。２つの主要なタイプの走査が存在し、即ち順次走査と飛び越し走査である。両者はイメージフレームが更新される態様を示している。順次走査では、画素はシーケンスで行毎にレンダリングされる。飛び越し走査では、画素は一行置きのフォーマットでレンダリングされる。したがって各偶数行の画素がレンダリングされ、その後、各奇数行の画素が続く。彩度サンプリングフィールド５５６はカラー成分がカラー成分ＹＣｒＣｂでサンプリングされる態様に関してのインジケータを示している。彩度サンプリングフォーマットは４：４：４、４：４：２、４：２：０を含んでいる。走査フィールド５５２と彩度サンプリングフィールド５５６のエントリはプロジェクタ適合理由で重要である。あるプロジェクタは走査されたプロセスプログラムまたは特別な方法でサンプリングされた彩度を処理することだけが可能である。
【００４９】
図６は異なる管轄（地域）におけるプログラムの格付けインジケータを示す付加的な格付けフィールド６０８を示している。したがって、劇場のオペレータは所定のプログラムの格付けを選択し、それにより管轄（地域）に基づいて格付け適合機能を行う。
【００５０】
図６はマイルストーンフィールド６１２も示している。マイルストーンフィールド６１２は記述フィールド６１６と時間コードフィールド６２０を含んでいる。記述フィールド６１６は所定の時間に対応する基準を容易に理解することを可能にする。時間コードフィールド６２０は記述フィールド６１６で説明されたマイルストーンが発生する時間を示している。通常、マイルストーンは内容に関連する事象を指している。マイルストーンは作品または予告編に現れる重要点であり、特定の時間に現れる関心の深い点のラベルである。マイルストーンの前または後の幾つかの特定された時間でキューが生じることを特定することが可能である。重要点の例はクレジットの開始、最後のクレジットの開始、特別な効果、ブラックになる終わりのクレジットまたはブラック上でのクレジットの終了を含んでいる。頻繁に、最後のクレジットはスクリーン上に現れ始め、幾つかの突如の点で、背景がブラックになり、視聴者は詳細なクレジットの残りを見ることができる。機能的に、マイルストーンの動作はキューの動作に類似している。即ちトリガーが劇場のオペレーティングシステムへ送信され、指示された時間に幾つかの環境制御を開始する。
【００５１】
図７はオーディオプログラム選択メニューウィンドウ７００のディスプレイを示している。図７では、オーディオ選択メニューは特定の選択されたイメージプログラムに対して利用可能なオーディオプログラムに限定される。このような限定はプレイリストを作成するときのエラーを最少にする。しかしながら、これは任意のオーディオプログラムが任意のイメージプログラムにより選択されることを可能にするように構成可能である。図７の例では、イメージプログラム“Ｈｏｗ  ｔｈｅ  Ｇｒｉｎｃｈ  Ｓｔｏｌｅ  Ｃｈｒｉｓｔｍａｓ”が選択された。“Ｈｏｗ  ｔｈｅ  Ｇｒｉｎｃｈ  Ｓｔｏｌｅ  Ｃｈｒｉｓｔｍａｓ”イメージプログラムの選択は潜在的なオーディオプログラム７００のウィンドウを開始した。オーディオプログラムウィンドウは識別フィールド７０４、言語フィールド７０８、オーディオチャンネルフィールド７１２、記述フィールド７１６のような複数のフィールドからなる。識別フィールド７０４は所定のオーディオプログラムの特有の識別子である。言語フィールド７０８は特定のオーディオプログラムの言語を示している。チャンネルフィールド７１２は特定のオーディオプログラムの音響フォーマットを示している。一実施形態では、利用可能な音響フォーマットは米国映画テレビ技術者協会（ＳＭＰＴＥ）の標準方式３２３Ｍと適合可能である。ＳＭＰＴＥ標準方式３２３Ｍは標準的なチャンネルタイプの割当てを記述している。例えば音響フォーマット５．１は左、右、中央、左サラウンド、右サラウンド、サブウーハー、モノサラウンド、左トータル、右トータルのオーディオ出力をサポートする。
【００５２】
別の実施形態では、格付けインジケータは各オーディオプログラムと関連されている。もともと大人の観客用に作成されたあるオーディオプログラムは若年の観客に対してさらに適切になるように“トーンを下げられる”。したがって、同じオーディオフォーマットの１よりも多数のオーディオプログラムが利用可能である。
【００５３】
記述フィールド７１６はオーディオプログラムの記述を示している。さらにヘルプボタン７２０もオーディオプログラムの選択においてユーザを補助するのに利用可能である。“ＯＫ”ボタン７２４を選択したとき、選択されたオーディオプログラムは選択されたイメージプログラムにリンクされる。再生するとき、リンクはイメージプログラムとオーディオプログラムの表示が同期されることを可能にする。２つのプログラムのリンクプロセスはユーザに対して透明である。
【００５４】
図８はキュー挿入の選択または作成ウィンドウ８００を示している。一実施形態の特徴はキューの便利で正確な入力を可能にすることである。さらに別の特徴はキューが時間により単に参照される代わりに事象により参照されることを可能にすることである。一実施形態では、ユーザがキューを挿入しようとするならば、ユーザはキューアイコンボタン８０４をクリックし、キュープロパティウィンドウ８０８を開始する。キュープロパティウィンドウ８０８はキュー記述フィールド８１２とキューのタイプを示すための幾つかのフィールド、即ちインボードキュー８１６、中央キュー８２０、アウトボードキュー８２４を含んでいる。インボード８１６、中央８２０、アウトボード８２４の種々の組合わせの選択は挿入されるキューのタイプを劇場自動システムへ示す３ビットシステムとして考慮されてもよい。ある劇場自動システムはキューの組合わせに意味を添付し、したがってインボードキュー８１６、中央キュー８２０、アウトボードキュー８２４の組合わせに基づいて異なった動作を行う。換言すると、インボード８１６、中央８２０、アウトボード８２４の異なる組合わせの選択は異なる劇場自動システムに対する異なる機能を示唆している。したがって、キューの選択は入力コマンドを劇場自動システムへエミュレートする。
【００５５】
図９はオフセットキューの挿入の選択または作成のディスプレイスクリーン９００を示している。一実施形態では、オフセットキューアイコン９０４を選択するとき、オフセットキュー挿入用のキュープロパティウィンドウ９０８が開始される。オフセットキューウィンドウ９０８はキュー記述フィールド９１２、インボードキュー９１６、中央キュー９２０、アウトボードキュー９２４を含む複数のフィールドからなる。キュープロパティウィンドウ９０８はオフセットキューの挿入がトリガーされる基準点９２８をユーザが選択することも可能にする。一実施形態では、マイルストーンは基準点のリストとして使用される。基準点は例えば図９で示されているようにプログラムの開始点である。ユーザはその後、なし、前または後としてタイムオフセット９３２を選択し、キューがオフセットされる分・秒フィールド９３６に分および秒数を入力する。
【００５６】
オフセットキューの挿入は劇場のオペレータが所望するプレイリストのプログラム内のどこかで行われる。例えばオフセットキューは映画中の機能のある時間期間内で生じるように特別な効果を開始する。例えば映画中の１つの情景が１時間２６分３２秒におけるロケットの発射であるならば、オペレータはロケット発射時間の５秒後に風のような特別な効果を生じさせたがる。したがって、ユーザはフィールド９２８でロケットが発射される基準点を選択し、時間オフセットフィールドのボックスで後（アフタ）を選択する。ユーザは風の効果がロケットの反射後５秒で発生する秒フィールドにおいて、分・秒フィールドに“０．５”を挿入する。本質的に、プログラムの開始から“ロケット発射”時刻が知られる。したがって５秒（フィールド９３６において０：５）のオフセットの挿入は実際にはプログラムの開始から１時間２６分３７秒として解釈される。
【００５７】
再生中、キューがトリガーされるとき、電気信号が中継カードにより既存の劇場自動システムへ送信される。一実施形態では、劇場建物の管理装置は中継カードの構造が複数の劇場自動システムによって動作することを可能にする。劇場建物の管理装置は劇場自動システムの要求に基づいて、ユーザの構成可能な信号を可能にする。
【００５８】
図１０はブラックスクリーンプロパティウィンドウ１０００を示している。ブラックスクリーンの挿入の便利で正確な作成を可能にすることが一実施形態の特徴である。ある時間にわたりブラックスクリーンを表示するために、ユーザはブラックスクリーン継続時間フィールド８０４に所望の秒数を単に入力する。ブラックスクリーン挿入エントリは任意のイメージプログラムまたはキューと同一方法でプレイリストで作成される。一実施形態では、プレイリスト中のブラックスクリーンコマンドは再生のときにデコーダで解釈される。したがって、デコーダはブラックスクリーン継続時間フィールド１００４で規定されているようにｎの秒数だけブラックスクリーンそのものを再生する。これはキューと異なって、既存の劇場自動システムとの相互動作が必要ではないという点で有効である。
【００５９】
図１１は格付けの不整合による不適合を示す警告を発したディスプレイ１１００を示している。人間による要素はプレイリストの作成プロセスから除去されるので、イメージプログラム、オーディオプログラム、プロジェクタの不適合によるエラーは最少にされる。図１１で示されているように、プラッタ作成３ウィンドウ１１０２は名称フィールド１１０４、継続時間フィールド１１０８、格付けフィールド１１１２、縦横比フィールド１１１６、詳細フィールド１１２０を含んでいる。詳細フィールド１１２０はイメージプログラムと音響フォーマットに関連するオーディオプログラムの言語のような情報を含んでいる。プラッタで選択された任意のプログラムが不整合を有するならば、警告ウィンドウ１１００が表示される。例えば、図１１で示されているように、“Ｐｒｅｖｉｅｗ：２００１：Ａ  Ｓｐａｃｅ  Ｏｄｙｓｓｅｙ”がＰＧに格付けされ、残りのプログラムはＧの格付けを有する。したがって、警告ウィンドウ１１００は格付けフィールドの不適合を示している。同様に、縦横比、言語、音響フォーマットまたはプロジェクタの適合性に関する警告も発せられる。
【００６０】
さらに、ある不適合によりユーザがプラッタを完全に作成することが可能ではないことを含む、任意のレベルの警告がユーザに発せられることが当業者に明白である。例えば、ＰＧプログラムがＧプログラムと同一のプラッタにあるとき、警告は十分である。しかしながら、Ｘの格付けを有するイメージプログラムがＧの格付けを有する他のプログラムと混合されるならば、警告はこのようなプラッタの作成の絶対的な禁止に変更される。同様に言語不適合、または縦横比の不適合で全体的な禁止が発せられる。
【００６１】
一実施形態では、各格付けには格付け不整合が生じるか否かを決定するためにソフトウェアで比較される数値が割当てられる。例えば値１０はＧの格付けを与えられ、値２０はＰＧの格付けを与えられる。それ故、装置または方法は数値の比較により簡単に格付けを比較することができる。
【００６２】
同様に、国際的な格付けは同一の方法で処理される。１つのプログラムの格付けが所定の管轄であり、別のプログラムの格付けが別の管轄である場合にも、警告はまた発せられる。さらに所定の管轄での格付けの根本的な原理に基づいて異なる管轄の格付けに関して比較を行う。
【００６３】
図１２は作成されたプレイリストのウィンドウ１２００を示している。プレイリスト１２００は開始時間フィールド１２０４、名称フィールド１２０８、継続時間フィールド１２１２、格付けフィールド１２１６、縦横比フィールド１２２０、詳細フィールド１２２４、時間経過バー１２２８を示している。開始時間フィールド１２０４は特定のキューが生じるかイメージプログラムが表示される動作時間を示している。詳細フィールド１２２４はキューに対しては、選択されたキューのタイプ（インボード、中央、アウトボード）、プログラムに対しては選択された言語と音響フォーマットを示している。埋設されたキューの１例はボックス１２３２に示されており、インボードキューは４分４３秒のマーク後１分４２秒で生じるように設定される。プログラム４分４３秒のマークで開始して“Ｈｏｗ  ｔｈｅ  Ｇｒｉｎｃｈ  Ｓｔｏｌｅ  Ｃｈｒｉｓｔｍａｓ”が再生されるとき、埋設されたキューに対する信号は（ボックス１２３６で）１分４２秒後または６分２５秒マークでトリガーされ、劇場の自動システムへ送信される。
【００６４】
図１２では、時間経過バー１２２８はディスプレイ下部方向に示されている。時間経過バー１２２８は所定の時間に再生されるプログラムと、プラッタの最初から最後までに生じる事象のシーケンスを示す。ユーザがポインタ１２３６等のポインタを選択したならば、ポインタに対応するプログラムが強調して表示される。したがって、ユーザが（例えばマウスの使用により）ポインタ１２３６を選択するならば、“Ｈｏｗ  ｔｈｅ  Ｇｒｉｎｃｈ  Ｓｔｏｌｅ  Ｃｈｒｉｓｔｍａｓ”を示す行１２４０が強調されて表示される。同様に行１２４０が強調して表示されるならば、点１２３６も強調して表示される。
【００６５】
図１２は新しいプラッタアイコン１２４４、プラッタ選択アイコン１２４８、プラッタ保存アイコン１２５０、別のドライブによる動作アイコン１２５２、カットアイコン１２５４、コピーアイコン１２５６、ペーストアイコン１２５８、選択プログラムアイコン１２６０（図４に関して詳細に説明）、キュー付加アイコン１２６２（図８に関して詳細に説明）、埋設されたキュー付加アイコン１２６４（図９に関して詳細に説明）、ブラックスクリーン付加アイコン１２６６（図１０に関して詳細に説明）、詳細なプロパティアイコン１２６８（図５、６に関して詳細に説明）、エントリ消去アイコン１２７０、音響セット選択１２７２（図７に関して詳細に説明）、上方向矢印アイコン１２７４、下方向矢印アイコン１２７６等の複数のユーザ選択可能なアイコンも示している。
【００６６】
上方向矢印アイコン１２７４と下方向矢印アイコン１２７６はユーザが容易に、かつ迅速に選択されたプログラム、ブラックスクリーン、キューをアレンジすることを可能にする。ユーザが例えば下方向矢印アイコン１２７６を選択し、“キューライトダウン”行１２８０が強調して表示されるならば、ユーザはキーボードの矢印キーを使用して、またはマウスをクリックおよびドラッグして、或いは任意の他のユーザ入力装置により強調して表示された列を順序付けする。したがって、選択されたプログラムおよびキューはユーザの所望する任意の順序で現れるように容易に順序付けされる。
【００６７】
プログラムまたはキューに関連する開始時間１２０４はしたがって調節する。埋設されたキューの場合、（ボックス１２３２で示されているように）埋設されたキューはその対応するプログラムにリンクされる。例えばボックス１２３２の埋設されたキューはプログラム“Ｈｏｗ  ｔｈｅ  Ｇｒｉｎｃｈ  Ｓｔｏｌｅ  Ｃｈｒｉｓｔｍａｓ”にリンクされる。ユーザがプログラム“Ｈｏｗ  ｔｈｅ  Ｇｒｉｎｃｈ  Ｓｔｏｌｅ  Ｃｈｒｉｓｔｍａｓ”の列を強調して表示し、それを再度順序付けしたがるならば、埋設されたキューはそのプログラムで自動的に再度順序付けされる。開始時間フィールド１２０４はしたがって各エントリで調節する。
【００６８】
図１２はキュー挿入アイコン１２６２も示している。一実施形態では、キューのタイプの選択のドロップダウンメニューを有することと反対に、ユーザは所定のキューを選択するため、またはこの固有のキューを規定するためにキュー入力アイコンを選択する。
【００６９】
ここで使用されているように、イメージプログラムは符号化されたイメージ情報を含み、複数のイメージファイルを備えている。同様に、オーディオプログラムは符号化されたオーディオ情報、サウンドトラックを含み、複数のオーディオファイルを具備している。したがってイメージプログラムとオーディオプログラムは結合されるか、任意の数の管理可能なイメージファイルとオーディオファイルの符号化されたデータのグループに再分割されることが認識される。
【００７０】
例として、ここで開示した実施形態と関連して説明した種々の例示的な論理ブロック、フローチャート、ウィンドウ、ステップは、特定用途用集積回路（ＡＳＩＣ）、プログラム可能な論理装置、ディスクリートなゲートまたはトランジスタ論理装置、例えばレジスタおよびＦＩＦＯのようなディスクリートなハードウェアコンポーネント、１組のファームウェア命令を実行するプロセッサ、任意の通常のプログラム可能なソフトウェアおよびプロセッサまたは任意のその組合わせによりハードウェアまたはソフトウェアで構成または実行される。プロセッサはマイクロプロセッサであると有効であるが、その代りとして、プロセッサは任意の通常のプロセッサ、制御装置、マイクロプロセッサ、または状態マシーンであってもよい。ソフトウェアはＲＡＭメモリ、フラッシュメモリ、ＲＯＭメモリ、レジスタ、ハードディスク、取外し可能なディスク、ＣＤ−ＲＯＭ、ＤＶＤ−ＲＯＭまたは技術で知られている任意の他の形態の記憶媒体中に位置させることができる。
【００７１】
好ましい実施形態の先の説明は当業者が本発明を構成または使用することを可能にするために行われた。これらの実施形態に対する種々の変形は当業者に容易に明白であり、ここで見られる一般原理は発明力を使用せずに他の実施形態に適用される。したがって本発明はここで示された実施形態に限定されず、ここで説明した原理および優れた特徴と一貫して最も広い技術的範囲にしたがうことを意図する。
【図１】
2010063141.tif 000003
【図２】
2010063141.tif 000004
【図３】
2010063141.tif 000005
【図４】
2010063141.tif 000006
【図５】
2010063141.tif 000007
【図６】
2010063141.tif 000008
【図７】
2010063141.tif 000009
【図８】
2010063141.tif 000010
【図９】
2010063141.tif 000011
【図１０】
2010063141.tif 000012
【図１１】
2010063141.tif 000013
【図１２】
2010063141.tif 000014